(57)【要約】【課題】  本発明は、籾殻の用途は様々であり、利用者の中には持参した籾殻を持ち帰りたいという利用者の要望に応えることを課題とする。【解決手段】  オペレータが持参した籾を投入する投入ホッパ（１）と、籾摺機（４）と、籾摺機（４）で籾摺りされた籾殻を前記オペレータに提供するための籾殻ホッパ（１２）に搬送する搬送手段（３１）を設け、籾摺りされた籾殻を籾殻ホッパ（１２）へ搬送するか、籾殻収容体（１４,１８）に搬送するかを切り換える切換手段を設け、籾殻を籾殻ホッパ（１２）に搬送するよう切換手段を操作する籾殻持ち帰りスイッチ（２７）を設ける籾殻処理設備とする。【選択図】  図２
2014087741.tif 000002
【特許請求の範囲】
【請求項１】
オペレータが持参した籾を投入する投入ホッパと、籾摺機と、籾摺機で籾摺りされた籾殻を前記オペレータに提供するための籾殻ホッパに搬送する搬送手段を設けることを特徴とする籾殻処理設備。
【請求項２】
籾摺りされた籾殻を籾殻ホッパへ搬送するか、籾殻収容体に搬送するかを切り換える切換手段を設けたことを特徴とする請求項１記載の籾殻処理設備。
【請求項３】
籾殻を籾殻ホッパに搬送するよう切換手段を操作する籾殻持ち帰り選択スイッチを設けることを特徴とする請求項２記載の籾殻処理設備。
【請求項４】
籾摺機を機械室内に設ける構成とし、籾殻収容体は、機械室内に設ける籾殻収容部又は機械室外に設ける籾殻収容庫であることを特徴とする請求項２又は請求項３記載の籾殻処理設備。
【請求項５】
機械室内に籾殻収容部を設けると共に、機械室外に籾殻収容庫を設け、籾殻を籾殻収容部側か籾殻収容庫側のいずれかに搬送するための切換手段を設けたことを特徴とする請求項４記載の籾殻処理設備。
【発明の詳細な説明】
【技術分野】
【０００１】
本発明は、籾摺装置で籾摺された籾殻を処理する籾殻処理設備に関する。
【背景技術】
【０００２】
特許文献１において、利用者が持参した籾を籾摺して発生した籾殻を粉末に処理する技術が記載されている。
【先行技術文献】
【特許文献】
【０００３】
【特許文献１】特開２００４−２４９１５０号公報
【発明の概要】
【発明が解決しようとする課題】
【０００４】
籾殻の用途は様々であり、利用者の中には持参した籾殻を持ち帰りたいという人もいる。
本発明は、かかる利用者の要望に応えることを課題とする。また、利用者が籾殻を持ち帰る必要の無い場合に、適切に設備に収容することを課題とする。
【課題を解決するための手段】
【０００５】
本発明は、かかる課題を解決するために次のような技術的手段を講ずる。
請求項１記載の発明は、オペレータが持参した籾を投入する投入ホッパ（１）と、籾摺機（４）と、籾摺機（４）で籾摺りされた籾殻を前記オペレータに提供するための籾殻ホッパ（１２）に搬送する搬送手段（３１）を設けることを特徴とする籾殻処理設備とする。
【０００６】
請求項２記載の発明は、籾摺りされた籾殻を籾殻ホッパ（１２）へ搬送するか、籾殻収容体（１４,１８）に搬送するかを切り換える切換手段を設けたことを特徴とする請求項１記載の籾殻処理設備とする。
【０００７】
請求項３記載の発明は、籾殻を籾殻ホッパ（１２）に搬送するよう切換手段を操作する籾殻持ち帰りスイッチ（２７）を設けることを特徴とする請求項２記載の籾殻処理設備とする。
【０００８】
請求項４記載の発明は、籾摺機（４）を機械室（２２）内に設ける構成とし、籾殻収容体（１４，１８）は、機械室（２２）内に設ける籾殻収容部（１１）又は機械室（２２）外に設ける籾殻収容庫（１８）であることを特徴とする請求項２又は請求項３記載の籾殻処理設備とする。
【０００９】
請求項５記載の発明は、機械室（２２）内に籾殻収容部（１１）を設けると共に、機械室（２２）外に籾殻収容庫（１８）を設け、籾殻を籾殻収容部（１１）側か籾殻収容庫（１８）側のいずれかに搬送するための切換手段を設けたことを特徴とする請求項４記載の籾殻処理設備とする。
【発明の効果】
【００１０】
請求項１記載の発明は、オペレータは持参した籾の籾殻を持ち帰ることができる。
請求項２記載の発明は、オペレータが籾殻を持ち帰ることを希望しない場合には籾殻収容体に収容することができる。
【００１１】
請求項３記載の発明は、オペレータは簡単な操作で籾殻を持ち帰るか否かの選択をすることができる。
請求項４及び請求項５記載の発明は、設備の管理者が籾殻を機械室内に収容するか機械室外に収容するかを選択することができる。
【図面の簡単な説明】
【００１２】
【図１】籾摺設備の平面図
【図２】籾摺設備の工程図
【図３】客室側から見た籾摺設備のレイアウト図
【発明を実施するための形態】
【００１３】
本発明の籾殻処理設備について、利用者が持参した籾を籾摺する籾摺設備に使用した実施の形態について、以下説明する。
図２に基づいて、籾摺設備の概要ついて説明する。
【００１４】
利用者が持参した籾を投入する投入ホッパ１と、投入ホッパ１内の籾を搬送する籾搬送機（籾搬送ラセン２）と、籾を揚穀する昇降機３と、昇降機３で揚穀した籾を籾摺する籾摺機４と、籾摺機４から排出される脱ぷ米から石を選別除去する石抜機５と、藁屑等の長尺物を選別除去する異物選別機６と、脱ぷ米から籾や比較的大きな粒径の異物を選別除去する第一選別機７と、第一選別機７を通過した脱ぷ米から小米を選別除去する第二選別機８と、第二選別機８で選別された脱ぷ米の中の整粒の玄米を取り出す玄米取出ホッパ９とを設ける。
【００１５】
籾摺機４の風選部１０で風選された籾殻を収容する籾殻収容部１１と、籾殻を利用者に供給する籾殻ホッパ１２を設ける。籾殻収容部１１は籾殻と搬送空気とを分離するサイクロン１３と、サイクロン１３で落下した籾殻を籾殻収容容器１４に搬送する籾殻搬送ラセン１５を内装する籾殻搬送樋４０と、籾殻ホッパ１２に籾殻を案内する案内シュート１６と、サイクロン１３で落下した籾殻を籾殻ホッパ１２側か籾殻収容容器１４側のいずれかへの供給を切り換える第一切換弁１７を設けている。籾摺機４の風選部１０から排出された籾殻を籾殻収容部１１か、機外の籾殻収容庫１８のいずれかへの供給を切り換える第二切換弁３５を設けている。
【００１６】
次に、図１に基づいて籾摺設備のレイアウトについて説明する。
建屋１９の内部を仕切壁２０で客室２１と機械室２２に仕切る。客室２１の一側に投入ホッパ１の投入口を設け、投入ホッパ１の後方、すなわち、機械室２２の一側に昇降機３及び籾摺機４を設ける。籾摺機４から後方に向かって第二切換弁３５及び籾殻機外排出案内筒４１を設け、建屋１９の後方には籾殻収容庫１８を設けている。
【００１７】
籾摺機４と昇降機３の間のスペースに石抜機５を設け、石抜機５の側方で機械室２２の中央部に異物選別機６を設ける。異物選別機６から前方に向かって第一選別機７及び第二選別機８、玄米取出ホッパ９を設け、客室２１側に玄米取出口３０を設ける。
【００１８】
機械室２２の他側に籾殻収容部１１を設けている。
投入ホッパ１の投入口４２と玄米取出口４３を隣接する位置に設け、玄米取出口４３から客室２１の他側に向かって操作盤２４、籾殻取出口４４を設ける構成である。
【００１９】
操作盤２４は料金を投入する料金投入口２５と、籾摺運転を開始する運転スイッチ２６と、籾殻を持ち帰ることを選択する籾殻持ち帰りスイッチ２７を設ける。
次に、オペレータが持参した籾を投入してから、籾摺処理された玄米及び籾殻を持ち帰るまでの作業について説明する。
【００２０】
オペレータは料金投入口２５に料金を投入し、投入ホッパ１に籾を投入する。そして、運転スイッチ２６を操作すると籾摺設備が運転を開始する。
投入ホッパ１の籾は籾搬送ラセン２及び昇降機３で籾摺機４に供給され、籾摺される。図２ではインペラ式の籾摺部２８を示しているがロール式でも良い。
【００２１】
籾摺された脱ぷ米は風選部１０で籾殻が風選され、次いで石抜機５、異物選別機６で石や長尺異物が除去される。異物選別機６から第一選別機７に供給され、第一選別機７で脱ぷ米から籾や比較的大きな粒径の異物を選別除去され、第二選別機８で脱ぷ米から小米を選別除去される。第二選別機８を通過した脱ぷ米の中の整粒の玄米が玄米取出ホッパ９に供給され、オペレータは玄米取出口４３から玄米を取出し持ち帰る。
【００２２】
風選部１０から排出された籾殻は籾殻搬送筒３１を経て籾殻収容部１１まで案内される。籾殻収容部１１ではまずサイクロン１３で籾殻と空気とに分離され、サイクロン１３から落下した籾殻は籾殻搬送樋４０内を籾殻搬送ラセン１５で搬送され、籾殻収容容器１４に収容される。
【００２３】
オペレータが籾殻を持ち返るときには、籾殻持ち帰りスイッチ２７を操作すると、第一切換弁１７が籾殻案内シュート１６側に切り換わり、第一サイクロン１３から落下した籾殻が籾殻ホッパ１２に案内される。オペレータは籾殻を籾殻取出口３３から取り出して持ち帰る。オペレータが籾殻持ち帰りスイッチ２６を操作するタイミングは、料金投入口２５に料金を投入してから籾摺作業中のいずれでも可能である。但し、籾摺作業中に籾殻持ち帰りスイッチ２６を操作すると、籾摺作業の途中からの籾殻の持ち帰りとなるので、運転スイッチ２５の操作との前後に行うのが望ましい。
【００２４】
籾摺設備の管理者は、オペレータが籾殻持ち帰りスイッチ２７を操作しないときには、籾殻を籾殻収容部１１側に搬送するか、籾殻機外搬送筒４１を経て建屋１９外の籾殻収容庫１８に収容するかを適宜設定できる。
【００２５】
この設定は操作盤２４内に内蔵する籾摺設備の制御部（図示せず）の管理者用の設定具（図示せず）で操作することができる。あるいは、別実施例として籾殻収容容器１４に満杯センサ３６を設け、満杯センサ３６が籾殻の満杯を検出すると、オペレータが籾殻持ち帰りスイッチ２７を操作しないときには第二切換弁３５を籾殻収容庫１８側に案内することも可能である。あるいは、その反対に籾殻収容庫１８に満杯センサ３７を設け、籾殻収容庫１８が満杯を検出すると、第二切換弁３５が切換わり籾殻収容庫１８側に籾殻を搬送するようにしても良い。
【００２６】
管理者が籾殻収容庫１８側に籾殻を収容するよう設定した場合には、第一切換弁１７を常時、案内シュート１８側にセットしておき、オペレータの籾殻持ち帰りスイッチ２７を操作すると、第二切換弁３５で籾殻を籾殻収容庫１８に搬送するか籾殻ホッパ１２に搬送するかを切り換える構成としても良い。
【００２７】
本実施の形態により、籾殻を持ち帰りたいオペレータの要望に応えると共に、籾摺設備の管理者も籾殻の管理を適切に行うことができる。
本発明の籾殻処理設備は、本実施の形態の籾摺設備、すなわち籾を玄米にする専用の設備以外に、籾を玄米又は精米機で精米する籾摺精米設備にも利用できる。
【符号の説明】
【００２８】
１  投入ホッパ
４  籾摺機
１２  籾殻ホッパ
１１  籾殻収容部（籾殻収容体）
１８  籾殻収容庫（籾殻収容体）
２２  機械室
２７  籾殻持ち帰りスイッチ
３１  搬送手段（籾殻搬送筒）
【図１】
2014087741.tif 000003
【図２】
2014087741.tif 000004
【図３】
2014087741.tif 000005